(57)【要約】【課題】吊り天井下地構造の耐震性を高める。【解決手段】当課題に対して提案する吊り天井下地構造は、野縁１と、野縁１と直交する方向に延伸し、野縁１と接続される野縁受け２と、野縁受け２を懸吊する吊りボルト３と、野縁受け２の間で野縁受け２と同じ方向に延伸し、野縁１と接続される補強野縁受け１０と、吊りボルト３の間で野縁１と同じ方向に延伸し、補強野縁受け１０と接続される交差補強材１１と、補強野縁受け１０及び交差補強材１１を懸吊する懸吊補強材１２と、補強野縁受け１０と懸吊補強材１１との間及び交差補強材１１と懸吊補強材１２との間に設けられるブレース材１３と、を含むことを特徴とする。【選択図】図１
2017166143.tif 000002
【特許請求の範囲】
【請求項１】
野縁と、
該野縁と直交する方向に延伸し、前記野縁と接続される野縁受けと、
該野縁受けを懸吊する吊りボルトと、
前記野縁受けの間で前記野縁受けと同じ方向に延伸し、前記野縁と接続される補強野縁受けと、
前記吊りボルトの間で前記野縁と同じ方向に延伸し、前記補強野縁受けと接続される交差補強材と、
前記補強野縁受け及び前記交差補強材を懸吊する懸吊補強材と、
前記補強野縁受けと前記懸吊補強材との間及び前記交差補強材と前記懸吊補強材との間に設けられるブレース材と、
を含む、吊り天井下地構造。
【請求項２】
前記補強野縁受けに筒形鋼材が使用されており、この筒形鋼材の高さが、前記野縁受けの高さ以下である、請求項１に記載の吊り天井下地構造。
【請求項３】
前記懸吊補強材に筒形鋼材が使用されている、請求項１又は請求項２に記載の吊り天井下地構造。
【請求項４】
前記ブレース材に、断面ハット形のリインフォース部材が取り付けられている、請求項１〜３のいずれか１項に記載の吊り天井下地構造。
【請求項５】
野縁と、該野縁と直交して延伸し、前記野縁と接続される野縁受けと、該野縁受けを懸吊する吊りボルトと、を用いて構成されている既存の吊り天井における下地改修方法であって、
前記既設の野縁受けの間に、該野縁受けと同じ方向に延伸する補強野縁受けを追加して前記野縁と接続し、
前記既設の吊りボルトの間に、前記野縁と同じ方向に延伸する交差補強材を追加して前記補強野縁受けと接続し、
前記補強野縁受け及び前記交差補強材を懸吊補強材により懸吊し、
前記補強野縁受け及び前記交差補強材と前記懸吊補強材との間にブレース材を設ける、
ことを含む下地改修方法。
【請求項６】
前記補強野縁受けとして筒形鋼材を使用し、この筒形鋼材が、前記野縁受けの高さ以下の高さをもつものであり、当該補強野縁受けに接続した前記交差補強材が前記既設の野縁受けの上部に当接する状態に施工する、請求項５に記載の下地改修方法。
【請求項７】
前記懸吊補強材として筒形鋼材を使用する、請求項５又は請求項６に記載の下地改修方法。
【請求項８】
前記ブレース材に、断面ハット形のリインフォース部材を取り付ける、請求項５〜７のいずれか１項に記載の下地改修方法。
【発明の詳細な説明】
【技術分野】
【０００１】
吊り天井の下地における耐震補強に関する技術を以下に開示する。
【背景技術】
【０００２】
平行に並べた野縁に化粧ボード等の天井材を取り付け、この野縁を、野縁と直交する方向に並べた野縁受けに固定し、そして、この野縁受けを吊りボルトにて懸吊する、吊り天井の下地構造に関し、特許文献１，２に開示されるような耐震補強の構造が採用されている。すなわち、野縁受けと吊りボルトの上部とをつなぐ斜めのブレース材を導入し、耐震性を高める構造である。しかし、東日本大震災クラスの地震を想定した場合、ブレース材の導入だけでは十分とは言い難い。
【先行技術文献】
【特許文献】
【０００３】
【特許文献１】特開２０１３−０３６３１９号公報
【特許文献２】特開２０１５−０８１４９６号公報
【発明の概要】
【発明が解決しようとする課題】
【０００４】
このような背景に鑑みて本発明は、吊り天井の下地構造において、より耐震性を高めることができ、また、既存の吊り天井に対して導入可能な、耐震補強の構造を提案する。
【課題を解決するための手段】
【０００５】
当課題に対して提案する吊り天井下地構造は、
野縁と、
該野縁と直交する方向に延伸し、前記野縁と接続される野縁受けと、
該野縁受けを懸吊する吊りボルトと、
前記野縁受けの間で前記野縁受けと同じ方向に延伸し、前記野縁と接続される補強野縁受けと、
前記吊りボルトの間で前記野縁と同じ方向に延伸し、前記補強野縁受けと接続される交差補強材と、
前記補強野縁受け及び前記交差補強材を懸吊する懸吊補強材と、
前記補強野縁受けと前記懸吊補強材との間及び前記交差補強材と前記懸吊補強材との間に設けられるブレース材と、
を含むことを特徴とする。
【０００６】
一態様によると、前記補強野縁受けには筒形鋼材が使用され、この筒形鋼材の高さが、前記野縁受けの高さ以下である。また、前記懸吊補強材にも筒形鋼材を使用するのが適している。前記ブレース材には、断面ハット形のリインフォース部材を取り付けるとなおよい。
【０００７】
この下地構造は、既存の吊り天井における下地改修に応用できる。
すなわち、野縁と、該野縁と直交して延伸し、前記野縁と接続される野縁受けと、該野縁受けを懸吊する吊りボルトと、を用いて構成されている既存の吊り天井における下地改修方法として、
前記既設の野縁受けの間に、該野縁受けと同じ方向に延伸する補強野縁受けを追加して前記野縁と接続し、
前記既設の吊りボルトの間に、前記野縁と同じ方向に延伸する交差補強材を追加して前記補強野縁受けと接続し、
前記補強野縁受け及び前記交差補強材を懸吊補強材により懸吊し、
前記補強野縁受け及び前記交差補強材と前記懸吊補強材との間にブレース材を設ける、
ことを含む下地改修方法を提案する。
【０００８】
この吊り天井の下地改修方法において、前記補強野縁受けとして筒形鋼材を使用し、且つ該筒形鋼材は、前記野縁受けの高さ以下の高さをもつものとして、当該補強野縁受けに接続した前記交差補強材が前記既設の野縁受けの上部に当接する状態に施工するとよい。また、懸吊補強材も筒形鋼材とし、ブレース材には断面ハット形のリインフォース部材を取り付けるとよい。
【発明の効果】
【０００９】
上記特徴をもつ吊り天井下地構造は、互いに交差した補強野縁受けと交差補強材とが吊りボルトとは別の懸吊補強材によって懸吊され、さらにこの懸吊補強材と補強野縁受け及び交差補強材との間にブレース材を設けてあるから、従来の下地構造に比べて格段に揺れに強く変形し難い下地構造が実現される。加えて、既存の吊り天井において、既設の野縁受けの間と吊りボルトの間とに、補強野縁受けと交差補強材とをそれぞれ追加設置し、これらに懸吊補強材及びブレース材を固定する方法により、既存の吊り天井に対して、その下地構造を耐震補強することが比較的容易にできる。
【図面の簡単な説明】
【００１０】
【図１】本発明に係る吊り天井下地構造の実施形態を示す図。
【図２】補強材として使用する筒形鋼材を例示する図。
【図３】野縁と補強野縁受けとを接続するクリップを例示する図。
【図４】補強野縁受けと交差補強材とを接続する補強材固定金具を例示する図。
【図５】補強野縁受けの端部どうし又は交差補強材の端部どうしを接続して長さを延長するための接続金具を例示する図。
【図６】懸吊補強材及びブレース材を固定するブレースホルダーを例示する図。
【図７】ブレース材に取り付けるリインフォース部材を例示する図。
【発明を実施するための形態】
【００１１】
図１に、一例として、コンクリート製の天井スラブに吊り下げられた吊り天井について、本発明に係る下地構造の実施形態を示してある。
この吊り天井下地構造は、従来式の構造として、化粧ボード等の天井材を固定するための野縁１と、この野縁１と直交する方向に延伸し、野縁１と接続される野縁受け２と、この野縁受け２を懸吊する吊りボルト３と、を含んでいる。野縁１にはシングル野縁とダブル野縁とが使用され、シングル野縁の２本おきにダブル野縁を設けてある。野縁受け２には溝形鋼材（Ｃチャンネル鋼材）が使用され、野縁１との交差点において一般的なクリップを使用し野縁１と接続されている。吊りボルト３は、コンクリートアンカーを介して天井スラブに上端が固定されて該天井スラブから垂下し、下端にボルト止めされた一般的なハンガーによって野縁受け２を保持し懸吊している。
【００１２】
これら野縁１、野縁受け２、吊りボルト３に追加して、補強野縁受け１０、交差補強材１１、懸吊補強材１２、ブレース材１３が設けられ、耐震補強構造が構成されている。本実施形態において、これら補強野縁受け１０、交差補強材１１、懸吊補強材１２、ブレース材１３には、いずれも図２に示す、高さ３２ｍｍ、幅１４ｍｍの筒形鋼材（すなわち、閉断面をもつ）が使用される。一般的な野縁受け２の高さが３８ｍｍなので、補強野縁受け１０の高さは、野縁受け２の高さよりも低い。この例のように、補強野縁受け１０には、野縁受け２の高さ以下の筒形鋼材を使用する。
【００１３】
補強野縁受け１０は、野縁受け２の間、本実施形態では２本の野縁受け２の間のほぼ中央（見た目に中央という程度）において野縁受け２と同じ方向に延伸し、野縁１と接続される。野縁１と補強野縁受け１０との接続には、図３に示すクリップ２０を使用する。このクリップ２０は、例えば特願２０１４−１６９１９９にて特許出願済みのクリップと同類のものである。クリップ２０は、Ｍバーの野縁１の端縁に形成されている折り返し部に係止部２１を係止させて使用し、この係止部２１から上方へ延びた挟持板部２２の間に、補強野縁受け１０を挟み込んで挟持する。挟持板部２２は先端が鉤形に屈曲し、ここから上方へ締め付け板部２３が延出しており、この締め付け板部２３どうしをボルトで締め付けることで、野縁１と補強野縁受け１０とが接続される。接続後、挟持板部２２に開けられたビス孔を通してビス留めもされる。また、クリップ２０を設置した後、野縁１に対する当該クリップ２０の位置が変わらないように、下向きコ字形のクリップストッパ２４をクリップ２０の横に添えて野縁１へビス留めしておく。
【００１４】
交差補強材１１は、野縁受け２を懸吊する吊りボルト３の間、本実施形態では２本の吊りボルト３の間のほぼ中央（見た目に中央という程度）において野縁１と同じ方向に延伸し、補強野縁受け１０と接続される。補強野縁受け１０と交差補強材１１との接続には、図４に示す補強材固定金具３０，４０を使用する。図４Ａに示す補強材固定金具３０と図４Ｂに示す補強材固定金具４０とは、左右が逆になっているのみで同構造である。この補強材固定金具３０，４０は、例えば特願２０１４−１６９１９９にて特許出願済みの補強材固定金具と同類のものである。例示した補強材固定金具３０，４０は、補強野縁受け１０に沿って延伸する固定板部３１，４１と、この固定板部３１，４１の側縁から交差補強材１１の延伸方向（つまり交差方向）に沿って延出する交差固定板部３２，４２と、交差固定板部３２，４２の上縁から鉤形に延出する係止部３３，４３と、を有する。図４Ｃに示すように、補強材固定金具３０，４０は、係止部３３，３４を交差補強材１１に係止させるようにして、補強野縁受け１０を挟んで左右に配設される。そして、固定板部３１，４１が補強野縁受け１０にビス留めされ、交差固定板部３２，４２及び係止部３３，３４が交差補強材１１にビス留めされて、補強野縁受け１０と交差補強材１１とを接続する。ビス孔はそれぞれ多数開けてあり、適宜選択して使用できる。このとき、上述したように補強野縁受け１０の高さが野縁受け２よりも低いので、野縁受け２の上に差し渡される交差補強材１１と補強野縁受け１０との間には隙間が空くが、固定板部３１，４１，３２，４２の高さはこの隙間分を考慮して設計されている。交差補強材１１は、このようにして補強野縁受け１０と接続されるが、野縁受け２には接続されず、野縁受け２の上部に当接して載っているだけである。
【００１５】
これら補強野縁受け１０と交差補強材１１とは、図５に示す接続金具５０を使用してそれぞれ長さを延長することができる。すなわち、接続金具５０に補強材１０，１１の端部を挿入してビス留めすることで、継ぎ足し延長される。
【００１６】
上記の補強野縁受け１０及び交差補強材１１を懸吊する懸吊補強材１２は、図１中下部に拡大して示すように、Ｌ型アングル６０を使用して天井スラブに固定され、垂下する。すなわち、懸吊補強材１２の上端部にＬ型アングル６０の一辺がビス留めされ、これから直角に曲がったＬ型アングル６０の他辺が、コンクリートアンカーを利用して天井スラブに固定される。
【００１７】
ブレース材１３は、天井スラブから垂下した懸吊補強材１２と補強野縁受け１０及び交差補強材１１との間に斜めに設けられる。
【００１８】
補強野縁受け１０及び交差補強材１１と懸吊補強材１２との接続、補強野縁受け１０及び交差補強材１１とブレース材１３との接続、そして、懸吊補強材１２とブレース材１３との接続には、図６に示すブレースホルダー７０が使用される。このブレースホルダー７０は、例えば特願２０１４−１６９１９９にて特許出願済みのブレースホルダーと同類のものである。ブレースホルダー７０は、Ｈ字形の鋼板を折り曲げることで形成可能であり、補強材１０，１１，１２，１３を両側から挟持する２つのクランプ板部７１を有する。クランプ板部７１には多数のビス孔を開けてあり、このクランプ板部７１の間に補強材１０，１１，１２，１３を所望の相対角度で挟み込んでビス留めすることができる。
【００１９】
筋交いに設置されるブレース材１３には、図７に示す断面ハット形のリインフォース部材８０を取り付け、耐荷重性能を上げて変形し難くしておく。
【００２０】
以上の下地構造は、既存の吊り天井における下地改修方法として施工可能である。すなわち、上記の野縁１、野縁受け２、吊りボルト３を用いて構成されている既存の吊り天井に対して、天井材を野縁１から取り外した後、次のように補強材１０，１１，１２，１３を組み入れることができる。なお、以下の各工程の順番は、施工現場の状況により入替可能である。
【００２１】
まず、既設の野縁受け２の間（好ましくは上記の通りほぼ中央）に、野縁受け２と同じ方向に延伸する補強野縁受け１０を追加し、クリップ２０を使用して野縁１と接続する。次に、既設の吊りボルト３の間（好ましくは上記の通りほぼ中央）に、野縁１と同じ方向に延伸する交差補強材１１を追加し、補強材固定金具３０，４０を使用して補強野縁受け１０と接続する。この交差補強材１１は、既設の野縁受け２とは接続しない。次に、補強野縁受け１０及び交差補強材１１を懸吊補強材１２により懸吊する。この工程において、懸吊補強材１２は、ブレースホルダー７０を使用して補強野縁受け１０及び交差補強材１１に接続して立設し、その上端部をＬ型アングル６０を使用して天井スラブに固定する。そして、補強野縁受け１０及び交差補強材１１と懸吊補強材１２との間に、ブレースホルダー７０を使用してブレース材１３を設ける。
【００２２】
上述の通り、この吊り天井の下地改修方法における補強野縁受け１０には筒形鋼材を使用し、且つこの筒形鋼材は、既設の野縁受け２の高さ以下の高さをもつものとしてあり（上記の例では３８ｍｍに対して３２ｍｍ）、補強野縁受け１０に接続した交差補強材１１は、既設の野縁受け２の上部に当接する状態に施工される。本実施形態では、交差補強材１１、懸吊補強材１２、ブレース材１３も同じ筒形鋼材としいる。ブレース材１３には、図７に示す断面ハット形のリインフォース部材８０を中間位置にビス留めする。
【００２３】
以上説明した実施形態において、上述したように、交差補強材１１は、補強野縁受け１０とは接続されるが、野縁受け２には接続されず、野縁受け２の上に当接して載っているだけである。この構造によると、地震に対し、交差補強材１１の当接によって野縁受け２の変形は防止される。一方、補強野縁受け１０及び交差補強材１１に係る荷重は、接続されていないことから野縁受け２には伝達されず、したがって、野縁受け２を懸吊する吊りボルト３の負担が増えることはない。逆に、補強材１０，１１，１２，１３による荷重の負担分、吊りボルト３に係る荷重は少なくなるので、野縁受け２や吊りボルト３の変形が抑止され、耐震性能が格段に向上する。
【００２４】
上記特徴をもつ実施形態に係る吊り天井下地構造は、互いに交差した補強野縁受け１０と交差補強材１１とが吊りボルト３とは別の懸吊補強材１２によって懸吊されていて、荷重を分担し、さらに懸吊補強材１２と補強野縁受け１０及び交差補強材１１との間にブレース材１３を設けて耐荷重性能を高めてあるから、従来の下地構造に比べて格段に揺れに強く変形し難い下地構造が実現される。加えて、既存の吊り天井において、既設の野縁受け２の間と吊りボルト３の間とに、補強野縁受け１０と交差補強材１１とをそれぞれ追加設置し、これらに懸吊補強材１２及びブレース材１３を固定する方法により、既存の吊り天井に対して、その下地構造を耐震補強することが比較的容易にできる。
【符号の説明】
【００２５】
１  野縁
２  野縁受け
３  吊りボルト
１０  補強野縁受け
１１  交差補強材
１２  懸吊補強材
１３  ブレース材
【図１】
2017166143.tif 000003
【図２】
2017166143.tif 000004
【図３】
2017166143.tif 000005
【図４】
2017166143.tif 000006
【図５】
2017166143.tif 000007
【図６】
2017166143.tif 000008
【図７】
2017166143.tif 000009